(57)【要約】【課題】  不正な通信を抑制することを可能とする携帯端末及び移動通信方法を提供する。【解決手段】  携帯端末１００は、ＵＳＩＭ２００に接続されており、不揮発性メモリ１０及び端末制御部４０を有する。端末制御部４０は、ＵＳＩＭ２００に格納されたＩＣＣＩＤと不揮発性メモリ１０に格納されたＩＣＣＩＤとが一致するか否かを判断し、ＩＣＣＩＤが一致すると判断された場合に、ＥＭＭパラメータを使用する。ＩＣＣＩＤは、通信に用いられずにＵＳＩＭ２００を識別する情報である。【選択図】  図１
2012175566.tif 000002
【特許請求の範囲】
【請求項１】
加入者情報を格納する第１記憶媒体に接続されており、不揮発性の第２記憶媒体を有する携帯端末であって、
前記第１記憶媒体に格納された媒体固有情報と前記第２記憶媒体に格納された媒体固有情報とが一致するか否かを判断する判断部と、
前記媒体固有情報が一致すると判断された場合に、移動性管理機能を実現するための移動性管理パラメータを使用する制御部とを備え、
前記媒体固有情報は、通信に用いられずに前記第１記憶媒体を識別する情報であることを特徴とする携帯端末。
【請求項２】
前記制御部は、前記媒体固有情報が一致しないと判断された場合に、前記第１記憶媒体又は前記第２記憶媒体に格納された前記移動性管理パラメータを削除する、或いは、使用しないことを特徴とする請求項１に記載の携帯端末。
【請求項３】
前記媒体固有情報は、前記第１記憶媒体の製造番号であることを特徴とする請求項１に記載の携帯端末。
【請求項４】
加入者情報を格納する第１記憶媒体及び不揮発性の第２記憶媒体を有する携帯端末に用いる移動通信方法であって、
前記第１記憶媒体に格納された媒体固有情報と前記第２記憶媒体に格納された媒体固有情報とが一致するか否かを判断するステップと、
前記媒体固有情報が一致すると判断された場合に、移動性管理機能を実現するための移動性管理パラメータを使用するステップとを備え、
前記媒体固有情報は、通信に用いられずに前記携帯端末を識別する情報であることを特徴とする移動通信方法。
【発明の詳細な説明】
【技術分野】
【０００１】
本発明は、加入者情報を格納する第１記憶媒体及び不揮発性の第２記憶媒体を有する携帯端末及び移動通信方法に関する。
【背景技術】
【０００２】
従来、携帯端末の移動性を管理する機能（ＭＭ；Ｍｏｂｉｌｉｔｙ  Ｍａｎａｇｅｍｅｎｔ）が知られている。なお、ＬＴＥ（Ｌｏｎｇ  Ｔｅｒｍ  Ｅｖｏｌｕｔｉｏｎ）などの次世代通信システムでは、このような機能は、ＥＭＭ（ＥＰＳ（Ｅｖｏｌｖｅｄ  Ｐａｃｋｅｔ  Ｓｙｓｔｅｍ）  Ｍｏｂｉｌｉｔｙ  Ｍａｎａｇｅｍｅｎｔ）と称される。
【０００３】
ここで、携帯端末は、加入者情報を格納する第１記憶媒体（例えば、ＵＳＩＭ；Ｕｎｉｖｅｒｓａｌ  Ｓｕｂｓｃｒｉｂｅｒ  Ｉｄｅｎｔｉｔｙ  Ｍｏｄｕｌｅ）に接続されており、不揮発性メモリなどの第２記憶媒体を有する。
【０００４】
移動性管理機能を実現するパラメータ（移動性管理パラメータ）は、第１記憶媒体又は第２記憶媒体に格納される。第１記憶媒体又は第２記憶媒体に格納された移動性管理パラメータは、携帯端末の電源を投入した際に、第１記憶媒体又は第２記憶媒体から読み込まれる。
【０００５】
なお、移動性管理パラメータは、例えば、“ＧＵＴＩ（Ｇｌｏｂａｌ  Ｕｎｉｑｕｅ  Ｔｅｍｐｏｒａｒｙ  Ｉｄｅｎｔｉｆｉｅｒ）”、“ＴＡＩ（Ｔｒａｃｋｉｎｇ  Ａｒｅａ  Ｉｄｅｎｔｉｆｉｅｒ）”、“Ａｌｌｏｗｅｄ  ＣＳＧ（Ｃｌｏｓｅｄ  Ｓｕｂｓｃｒｉｂｅｒ  Ｇｒｏｕｐ  Ｉｄｅｎｔｉｆｉｅｒ）  Ｌｉｓｔ”、“ＯｐｅｒａｔｏｒＣＳＧ  （Ｃｌｏｓｅｄ  Ｓｕｂｓｃｒｉｂｅｒ  Ｇｒｏｕｐ  Ｉｄｅｎｔｉｆｉｅｒ）  Ｌｉｓｔ”、“セキュリティパラメータ”などである。
【０００６】
ここで、第１記憶媒体から読み込まれた識別情報と第２記憶媒体に格納された識別情報とが一致した場合に、第１記憶媒体又は第２記憶媒体に格納された移動性管理パラメータを利用することが可能である。識別情報は、通信オペレータによって指定されるＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）である（例えば、非特許文献１）。なお、ＩＭＳＩは、通信に用いる情報である。
【先行技術文献】
【非特許文献】
【０００７】
【非特許文献１】３ＧＰＰ  ＴＳ２４．３０１  Ｖ１０．０．０
【発明の概要】
【発明が解決しようとする課題】
【０００８】
しかしながら、上述した技術では、第１記憶媒体又は第２記憶媒体に格納された移動性管理パラメータが利用可能か否かを判断するための識別情報として、通信に用いるＩＭＳＩが用いられる。言い換えると、不揮発性メモリなどの第２記憶媒体にもＩＭＳＩが格納されてしまう。
【０００９】
従って、第２記憶媒体に格納されたＩＭＳＩを不正に使用して不正な通信が行われる危険性が存在する。
【００１０】
そこで、本発明は、上述した課題を解決するためになされたものであり、不正な通信を抑制することを可能とする携帯端末及び移動通信方法を提供することを目的とする。
【課題を解決するための手段】
【００１１】
第１実施形態に係る携帯端末（携帯端末１００）は、加入者情報を格納する第１記憶媒体（ＵＳＩＭ２００）に接続されており、不揮発性の第２記憶媒体（不揮発性メモリ１０）を有する。携帯端末は、前記第１記憶媒体に格納された媒体固有情報と前記第２記憶媒体に格納された媒体固有情報とが一致するか否かを判断する判断部（端末制御部４０）と、前記媒体固有情報が一致すると判断された場合に、移動性管理機能を実現するための移動性管理パラメータを使用する制御部（端末制御部４０）とを備える。前記媒体固有情報は、通信に用いられずに前記第１記憶媒体を識別する情報である。
【００１２】
第１の特徴において、前記制御部は、前記媒体固有情報が一致しないと判断された場合に、前記第１記憶媒体又は前記第２記憶媒体に格納された前記移動性管理パラメータを削除する、或いは、使用しない。
【００１３】
第１の特徴において、前記媒体固有情報は、前記第１記憶媒体の製造番号である。
【００１４】
第２の特徴に係る移動通信方法は、加入者情報を格納する第１記憶媒体に接続されており、不揮発性の第２記憶媒体を有する携帯端末に用いる。移動通信方法は、前記第１記憶媒体に格納された媒体固有情報と前記第２記憶媒体に格納された媒体固有情報とが一致するか否かを判断するステップと、前記媒体固有情報が一致すると判断された場合に、移動性管理機能を実現するための移動性管理パラメータを使用するステップとを備える。前記媒体固有情報は、通信に用いられずに前記第１記憶媒体を識別する情報である。
【発明の効果】
【００１５】
本発明によれば、不正な通信を抑制することを可能とする携帯端末及び移動通信方法を提供することができる。
【図面の簡単な説明】
【００１６】
【図１】図１は、第１実施形態に係る携帯端末１００を示すブロック図である。
【図２】図２は、第１実施形態に係る携帯端末１００の動作を示すフロー図である。
【図３】図３は、第１実施形態に係る携帯端末１００の動作を示すフロー図である。
【発明を実施するための形態】
【００１７】
以下において、本発明の実施形態に係る携帯端末について、図面を参照しながら説明する。なお、以下の図面の記載において、同一又は類似の部分には、同一又は類似の符号を付している。
【００１８】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１９】
［実施形態の概要］
実施形態に係る携帯端末は、加入者情報を格納する第１記憶媒体に接続されており、不揮発性の第２記憶媒体を有する。携帯端末は、第１記憶媒体に格納された媒体固有情報と第２記憶媒体に格納された媒体固有情報とが一致するか否かを判断する判断部と、媒体固有情報が一致すると判断された場合に、移動性管理機能を実現するための移動性管理パラメータを使用する制御部とを備える。媒体固有情報は、通信に用いられずに第１記憶媒体を識別する情報である。
【００２０】
実施形態では、第１記憶媒体又は第２記憶媒体に格納された移動性管理パラメータが利用可能か否かを判断するための情報として、通信に用いられずに第１記憶媒体を識別する媒体固有情報が用いられる。従って、ＩＭＳＩなどのように、通信に用いられる識別情報が第２記憶媒体から不正に使用されて、不正な通信が行われることを抑制することができる。
【００２１】
なお、実施形態では、携帯端末がLTE（Ｌｏｎｇ  Ｔｅｒｍ  Ｅｖｏｌｕｔｉｏｎ）に対応しているケースについて例示する。また、第１記憶媒体がＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）であるケースについて例示する。
【００２２】
［第１実施形態］
（携帯端末の構成）
以下において、第１実施形態に係る携帯端末について、図面を参照しながら説明する。図１は、第１実施形態に係る携帯端末１００を示すブロック図である。
【００２３】
図１に示すように、携帯端末１００は、ＵＳＩＭ２００に接続される。ＵＳＩＭ２００は、加入者情報を格納する記憶媒体である。例えば、ＵＳＩＭ２００は、携帯端末１００に挿抜可能に構成されたカード形状を有する。
【００２４】
ＵＳＩＭ２００は、例えば、通信オペレータによって指定されるＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）を格納する。ＩＭＳＩは、通信に用いられる識別情報である。
【００２５】
また、ＵＳＩＭ２００は、各種情報を格納する。例えば、ＵＳＩＭ２００は、移動性管理機能（ここでは、ＥＭＭ；ＥＰＳ  Ｍｏｂｉｌｉｔｙ  Ｍａｎｅｇｅｍｅｎｔ）を実現するための移動性管理パラメータ（以下、ＥＭＭパラメータ）を格納する。
【００２６】
ＥＭＭパラメータは、“ＧＵＴＩ（Ｇｌｏｂａｌ  Ｕｎｉｑｕｅ  Ｔｅｍｐｏｒａｒｙ  Ｉｄｅｎｔｉｆｉｅｒ）”、“ＥＰＳ  Ｕｐｄａｔｅ  Ｓｔａｔｕｓ”、“ＴＡＩ（Ｔｒａｃｋｉｎｇ  Ａｒｅａ  Ｉｄｅｎｔｉｆｉｅｒ）”、“Ａｌｌｏｗｅｄ  ＣＳＧ（Ｃｌｏｓｅｄ  Ｓｕｂｓｃｒｉｂｅｒ  Ｇｒｏｕｐ  Ｉｄｅｎｔｉｆｉｅｒ）  Ｌｉｓｔ”、“ＯｐｅｒａｔｏｒＣＳＧ  （Ｃｌｏｓｅｄ  Ｓｕｂｓｃｒｉｂｅｒ  Ｇｒｏｕｐ  Ｉｄｅｎｔｉｆｉｅｒ）  Ｌｉｓｔ”、“ＥＰＳ  Ｓｅｃｕｒｉｔｙ  Ｃｏｎｔｅｘｔ  Ｐａｒａｍｅｔｅｒｓ”などである。
【００２７】
“ＧＵＴＩ”は、コアネットワーク（ここでは、ＥＰＳ；Ｅｖｏｌｖｅｄ  Ｐａｃｋｅｔ  Ｓｅｒｖｉｃｅ）への接続に用いられる識別情報である（３ＧＰＰ  ＴＳ２４．３０１  Ｖ１０．０．０  Ｓｕｂｃｌａｕｓｅ  ８．２．１．２を参照）。
【００２８】
“ＥＰＳ  Ｕｐｄａｔｅ  Ｓｔａｔｕｓ”は、コアネットワーク（ここでは、ＥＰＳ）の接続状態を示す情報である（３ＧＰＰ  ＴＳ２４．３０１  Ｖ１０．０．０  Ｓｕｂｃｌａｕｓｅ  ５．１．３．３を参照）。ＥＰＳ  Ｕｐｄａｔｅ  Ｓｔａｔｕｓとしては、“ＵＰＤＡＴＥＤ”、“ＮＯＴ  ＵＰＤＡＴＥＤ”及び“ＲＯＡＭＩＮＧ  ＮＯＴ  ＡＬＬＯＷＥＤ”が存在する。
【００２９】
“ＴＡＩ”は、携帯端末１００が在圏するエリア（ここでは、ＴＡ；Ｔｒａｃｋｉｎｇ  Ａｒｅａ）を識別する情報である。
【００３０】
“Ａｌｌｏｗｅｄ  ＣＳＧ  Ｌｉｓｔ”は、加入者の接続が許容されたＣＳＧセルのリストである。
【００３１】
なお、ＣＳＧセルは、アクセス種別を設定可能なセルであり、アクセス種別は、「Ｃｌｏｓｅｄ」、「Ｈｙｂｒｉｄ」又は「Ｏｐｅｎ」である。「Ｃｌｏｓｅｄ」のＣＳＧセルは、特定の加入者に対するサービスの提供のみが許可されるように構成される。「Ｈｙｂｒｉｄ」のＣＳＧセルは、例えば、特定の加入者に対して高品質の通信が許可されるように構成されており、他の加入者に対してベストエフォート品質の通信が許可されるように構成される。「Ｏｐｅｎ」のＣＳＧセルは、マクロセルと同様に、全てのユーザに対するサービスの提供が許可されるように構成される。
【００３２】
なお、アクセス種別は、アクセスクラス毎に携帯端末１００のアクセスを禁止する「ＡＣＣＥＳＳ  ＣＬＡＳＳ  ＢＡＲＲＥＤ」、セル毎に携帯端末１００のアクセスを禁止する「ＣＥＬＬ  ＢＡＲＲＥＤ」であってもよい。
【００３３】
“Ｏｐｅｒａｔｏｒ  ＣＳＧ  Ｌｉｓｔ”は、通信オペレータによって接続が許容されたＣＳＧセルのリストである。
【００３４】
“ＥＰＳ  Ｓｅｃｕｒｉｔｙ  Ｃｏｎｔｅｘｔ  Ｐａｒａｍｅｔｅｒｓ”は、携帯端末１００がコアネットワーク（ここでは、ＥＰＳ）に接続するために必要なセキュリティ情報である。
【００３５】
図１に戻って、携帯端末１００は、不揮発性メモリ１０と、メモリ制御部２０と、ＵＳＩＭ制御部３０と、端末制御部４０と、ＬＴＥ通信処理部５０と、アンテナ６０とを有する。
【００３６】
不揮発性メモリ１０は、不揮発性であり、各種情報を格納する。例えば、不揮発性メモリ１０は、ＥＭＭパラメータを格納する。なお、ＵＳＩＭ２００がＥＭＭパラメータを格納するように構成されていない場合に、不揮発性メモリ１０は、このようなＵＳＩＭ非対応のＥＭＭパラメータを格納する。なお、不揮発性メモリ１０は、第２記憶媒体の一例である。
【００３７】
メモリ制御部２０は、不揮発性メモリ１０を制御する。具体的には、メモリ制御部２０は、不揮発性メモリ１０に対する情報の書き込み、或いは、不揮発性メモリ１０からの情報の読み込みを制御する。
【００３８】
ＵＳＩＭ制御部３０は、ＵＳＩＭ２００を制御する。具体的には、ＵＳＩＭ制御部３０は、ＵＳＩＭ２００に対する情報の書き込み、或いは、ＵＳＩＭ２００からの情報の読み込みを制御する。
【００３９】
端末制御部４０は、携帯端末１００を統括的に制御する。ここでは、端末制御部４０は、メモリ制御部２０及びＵＳＩＭ制御部３０を制御する。
【００４０】
詳細には、端末制御部４０は、ＵＳＩＭ２００に格納された媒体固有情報と不揮発性メモリ１０に格納された媒体固有情報とが一致するか否かを判断する判断部として機能する。また、端末制御部４０は、媒体固有情報が一致すると判断された場合に、ＥＭＭパラメータを使用する制御部として機能する。さらに、端末制御部４０は、媒体固有情報が一致しないと判断された場合に、不揮発性メモリ１０に格納された移動性管理パラメータを削除する、或いは、使用しない。なお、端末制御部４０は、媒体固有情報が一致しないと判断された場合に、不揮発性メモリ１０に格納された媒体固有情報及び移動性管理パラメータ以外の情報を削除してもよい。
【００４１】
ここで、媒体固有情報は、通信に用いられずにＵＳＩＭ２００を識別する情報である。例えば、媒体固有情報は、ＵＳＩＭ２００の製造番号（ＩＣＣＩＤ；Ｉｎｔｅｇｒａｔｅｄ  Ｃｉｒｃｕｉｔ  Ｃａｒｄ  Ｉｄｅｎｔｉｆｉｅｒ）である。以下においては、媒体固有情報として、ＩＣＣＩＤを例に挙げて説明する。
【００４２】
ＬＴＥ通信処理部５０は、通信を制御する。例えば、ＬＴＥ通信処理部５０は、無線リソース管理機能（ＲＲＭ；Ｒａｄｉｏ  Ｒｅｓｏｕｒｃｅ  Ｍａｎａｇｅｍｅｎｔ）を有する。具体的には、ＬＴＥ通信処理部５０は、ＩＣＣＩＤが一致する場合に読み込まれる移動性管理パラメータを用いて、コアネットワーク（ここでは、ＥＰＳ）への接続（Ａｔｔａｃｈ）、在圏エリアの更新（Ｔｒａｃｋｉｎｇ  Ａｒｅａ  Ｕｐｄａｔｅ）などを制御する。
【００４３】
アンテナ６０は、電波を送信する。或いは、アンテナ６０は、電波を受信する。なお、第１実施形態では、ＭＩＭＯ（Ｍｕｌｔｉｐｌｅ  Ｉｎｐｕｔ  Ｍｕｌｔｉｐｌｅ  Ｏｕｔｐｕｔ）に対応するために、複数のアンテナ６０が設けられている。
【００４４】
（移動通信方法）
以下において、第１実施形態に係る移動通信方法について、図面を参照しながら説明する。図２及び図３は、第１実施形態に係る携帯端末１００の動作を示すフロー図である。
【００４５】
第１に、携帯端末１００がＥＭＭパラメータを格納する動作について、図２を参照しながら説明する。
【００４６】
図２に示すように、ステップ１０１において、携帯端末１００は、格納対象がＧＵＴＩであるか否かを判断する。携帯端末１００は、格納対象がＧＵＴＩである場合には、ステップ１０２の処理に移り、格納対象がＧＵＴＩでない場合には、ステップ１０６の処理に移る。
【００４７】
ステップ１０２において、携帯端末１００は、ＧＵＴＩがＵＳＩＭ非対応であるか否かを判定する。携帯端末１００は、ＧＵＴＩがＵＳＩＭ対応である場合には、ステップ１０３において、ＧＵＴＩをＵＳＩＭ２００に格納する。携帯端末１００は、ＧＵＴＩがＵＳＩＭ非対応である場合には、ステップ１０４において、ＧＵＴＩを不揮発性メモリ１０に格納し、ステップ１０５において、ＩＣＣＩＤを不揮発性メモリ１０に格納する。
【００４８】
ステップ１０６において、携帯端末１００は、格納対象がＥＰＳ  Ｕｐｄａｔｅ  Ｓｔａｔｕｓであるか否かを判断する。携帯端末１００は、格納対象がＥＰＳ  Ｕｐｄａｔｅ  Ｓｔａｔｕｓである場合には、ステップ１０７の処理に移り、格納対象がＥＰＳ  Ｕｐｄａｔｅ  Ｓｔａｔｕｓでない場合には、ステップ１１１の処理に移る。
【００４９】
ステップ１０７において、携帯端末１００は、ＥＰＳ  Ｕｐｄａｔｅ  ＳｔａｔｕｓがＵＳＩＭ非対応であるか否かを判定する。携帯端末１００は、ＥＰＳ  Ｕｐｄａｔｅ  ＳｔａｔｕｓがＵＳＩＭ対応である場合には、ステップ１０８において、ＥＰＳ  Ｕｐｄａｔｅ  ＳｔａｔｕｓをＵＳＩＭ２００に格納する。携帯端末１００は、ＥＰＳ  Ｕｐｄａｔｅ  ＳｔａｔｕｓがＵＳＩＭ非対応である場合には、ステップ１０９において、ＥＰＳ  Ｕｐｄａｔｅ  Ｓｔａｔｕｓを不揮発性メモリ１０に格納し、ステップ１１０において、ＩＣＣＩＤを不揮発性メモリ１０に格納する。
【００５０】
ステップ１１１において、携帯端末１００は、格納対象がＡｌｌｏｗｅｄ  ＣＳＧ  Ｌｉｓｔであるか否かを判断する。携帯端末１００は、格納対象がＡｌｌｏｗｅｄ  ＣＳＧ  Ｌｉｓｔである場合には、ステップ１１２の処理に移り、格納対象がＡｌｌｏｗｅｄ  ＣＳＧ  Ｌｉｓｔでない場合には、ステップ１１６の処理に移る。
【００５１】
ステップ１１２において、携帯端末１００は、Ａｌｌｏｗｅｄ  ＣＳＧ  ＬｉｓｔがＵＳＩＭ非対応であるか否かを判定する。携帯端末１００は、Ａｌｌｏｗｅｄ  ＣＳＧ  ＬｉｓｔがＵＳＩＭ対応である場合には、ステップ１１３において、Ａｌｌｏｗｅｄ  ＣＳＧ  ＬｉｓｔをＵＳＩＭ２００に格納する。携帯端末１００は、Ａｌｌｏｗｅｄ  ＣＳＧ  ＬｉｓｔがＵＳＩＭ非対応である場合には、ステップ１１４において、Ａｌｌｏｗｅｄ  ＣＳＧ  Ｌｉｓｔを不揮発性メモリ１０に格納し、ステップ１１５において、ＩＣＣＩＤを不揮発性メモリ１０に格納する。
【００５２】
ステップ１１６において、携帯端末１００は、格納対象がＯｐｅｒａｔｏｒ  ＣＳＧ  Ｌｉｓｔであるか否かを判断する。携帯端末１００は、格納対象がＯｐｅｒａｔｏｒ  ＣＳＧ  Ｌｉｓｔである場合には、ステップ１１７の処理に移り、格納対象がＯｐｅｒａｔｏｒ  ＣＳＧ  Ｌｉｓｔでない場合には、ステップ１２１の処理に移る。
【００５３】
ステップ１１７において、携帯端末１００は、Ｏｐｅｒａｔｏｒ  ＣＳＧ  ＬｉｓｔがＵＳＩＭ非対応であるか否かを判定する。携帯端末１００は、Ｏｐｅｒａｔｏｒ  ＣＳＧ  ＬｉｓｔがＵＳＩＭ対応である場合には、ステップ１１８において、Ｏｐｅｒａｔｏｒ  ＣＳＧ  ＬｉｓｔをＵＳＩＭ２００に格納する。携帯端末１００は、Ｏｐｅｒａｔｏｒ  ＣＳＧ  ＬｉｓｔがＵＳＩＭ非対応である場合には、ステップ１１９において、Ｏｐｅｒａｔｏｒ  ＣＳＧ  Ｌｉｓｔを不揮発性メモリ１０に格納し、ステップ１２０において、ＩＣＣＩＤを不揮発性メモリ１０に格納する。
【００５４】
ステップ１２１において、携帯端末１００は、格納対象がＥＰＳ  Ｓｅｃｕｒｉｔｙ  Ｃｏｎｔｅｘｔ  Ｐａｒａｍｅｔｅｒｓであるか否かを判断する。携帯端末１００は、格納対象がＥＰＳ  Ｓｅｃｕｒｉｔｙ  Ｃｏｎｔｅｘｔ  Ｐａｒａｍｅｔｅｒｓである場合には、ステップ１２２の処理に移り、格納対象がＥＰＳ  Ｓｅｃｕｒｉｔｙ  Ｃｏｎｔｅｘｔ  Ｐａｒａｍｅｔｅｒｓでない場合には、ステップ１２６の処理に移る。
【００５５】
ステップ１２２において、携帯端末１００は、ＥＰＳ  Ｓｅｃｕｒｉｔｙ  Ｃｏｎｔｅｘｔ  ＰａｒａｍｅｔｅｒｓがＵＳＩＭ非対応であるか否かを判定する。携帯端末１００は、ＥＰＳ  Ｓｅｃｕｒｉｔｙ  Ｃｏｎｔｅｘｔ  ＰａｒａｍｅｔｅｒｓがＵＳＩＭ対応である場合には、ステップ１２３において、ＥＰＳ  Ｓｅｃｕｒｉｔｙ  Ｃｏｎｔｅｘｔ  ＰａｒａｍｅｔｅｒｓをＵＳＩＭ２００に格納する。携帯端末１００は、ＥＰＳ  Ｓｅｃｕｒｉｔｙ  Ｃｏｎｔｅｘｔ  ＰａｒａｍｅｔｅｒｓがＵＳＩＭ非対応である場合には、ステップ１２４において、ＥＰＳ  Ｓｅｃｕｒｉｔｙ  Ｃｏｎｔｅｘｔ  Ｐａｒａｍｅｔｅｒｓを不揮発性メモリ１０に格納し、ステップ１２５において、ＩＣＣＩＤを不揮発性メモリ１０に格納する。
【００５６】
ステップ１２６において、携帯端末１００は、格納対象がＴＩＮ（Ｔｅｍｐｏｒａｒｙ  Ｉｄｅｎｔｉｔｙ  ｕｓｅｄ  ｉｎ  Ｎｅｘｔ  Ｕｐｄａｔｅ）であるか否かを判断する。携帯端末１００は、格納対象がＴＩＮである場合には、ステップ１２７において、ＴＩＮを不揮発性メモリ１０に格納し、ステップ１２８において、ＩＣＣＩＤを不揮発性メモリ１０に格納する。携帯端末１００は、格納対象がＴＩＮでない場合には、一連の処理を終了する。
【００５７】
なお、ＴＩＮは、次回の更新（ＴＡＵ；Ｔｒａｃｋｉｎｇ  Ａｒｅａ  Ｕｐｄａｔｅ）で用いる識別番号である。
【００５８】
第２に、携帯端末１００がＥＭＭパラメータを読み込む動作について、図３を参照しながら説明する。なお、図３に示すフローは、ＬＴＥ通信処理部５０を起動するときの動作である。
【００５９】
図３に示すように、ステップ２０１において、携帯端末１００は、ＵＳＩＭ２００からＩＣＣＩＤを読み込む。
【００６０】
ステップ２０２において、携帯端末１００は、ＵＳＩＭ２００からＩＭＳＩを読み込む。
【００６１】
ステップ２０３において、携帯端末１００は、不揮発性メモリ１０からＩＣＣＩＤを読み込む。
【００６２】
ステップ２０４において、携帯端末１００は、ＵＳＩＭ２００から読み込んだＩＣＣＩＤと不揮発性メモリ１０から読み込んだＩＣＣＩＤとが一致するか否かを判定する。携帯端末１００は、ＩＣＣＩＤが一致する場合には、ステップ２０６の処理に移り、ＩＣＣＩＤが一致しない場合には、ステップ２０５の処理に移る。
【００６３】
ステップ２０５において、携帯端末１００は、不揮発性メモリ１０に格納されたＥＭＭパラメータを削除する、或いは、使用しない。なお、携帯端末１００は、不揮発性メモリ１０に格納されたＩＣＣＩＤ及びＥＭＭパラメータ以外の情報を削除してもよい。
【００６４】
ステップ２０６において、携帯端末１００は、ＧＵＴＩがＵＳＩＭ非対応であるか否かを判定する。携帯端末１００は、ＧＵＴＩがＵＳＩＭ対応である場合には、ステップ２０７において、ＧＵＴＩをＵＳＩＭ２００から読み込む。携帯端末１００は、ＧＵＴＩがＵＳＩＭ非対応である場合には、ステップ２０８において、ＧＵＴＩを不揮発性メモリ１０から読み込む。
【００６５】
ステップ２０９において、携帯端末１００は、ＥＰＳ  Ｕｐｄａｔｅ  ＳｔａｔｕｓがＵＳＩＭ非対応であるか否かを判定する。携帯端末１００は、ＥＰＳ  Ｕｐｄａｔｅ  ＳｔａｔｕｓがＵＳＩＭ対応である場合には、ステップ２１０において、ＥＰＳ  Ｕｐｄａｔｅ  ＳｔａｔｕｓをＵＳＩＭ２００から読み込む。携帯端末１００は、ＥＰＳ  Ｕｐｄａｔｅ  ＳｔａｔｕｓがＵＳＩＭ非対応である場合には、ステップ２１１において、ＥＰＳ  Ｕｐｄａｔｅ  Ｓｔａｔｕｓを不揮発性メモリ１０から読み込む。
【００６６】
ステップ２１２において、携帯端末１００は、Ａｌｌｏｗｅｄ  ＣＳＧ  ＬｉｓｔがＵＳＩＭ非対応であるか否かを判定する。携帯端末１００は、Ａｌｌｏｗｅｄ  ＣＳＧ  ＬｉｓｔがＵＳＩＭ対応である場合には、ステップ２１３において、Ａｌｌｏｗｅｄ  ＣＳＧ  ＬｉｓｔをＵＳＩＭ２００から読み込む。携帯端末１００は、Ａｌｌｏｗｅｄ  ＣＳＧ  ＬｉｓｔがＵＳＩＭ非対応である場合には、ステップ２１４において、Ａｌｌｏｗｅｄ  ＣＳＧ  Ｌｉｓｔを不揮発性メモリ１０から読み込む。
【００６７】
ステップ２１５において、携帯端末１００は、Ｏｐｅｒａｔｏｒ  ＣＳＧ  ＬｉｓｔがＵＳＩＭ非対応であるか否かを判定する。携帯端末１００は、Ｏｐｅｒａｔｏｒ  ＣＳＧ  ＬｉｓｔがＵＳＩＭ対応である場合には、ステップ２１６において、Ｏｐｅｒａｔｏｒ  ＣＳＧ  ＬｉｓｔをＵＳＩＭ２００から読み込む。携帯端末１００は、Ｏｐｅｒａｔｏｒ  ＣＳＧ  ＬｉｓｔがＵＳＩＭ非対応である場合には、ステップ２１７において、Ｏｐｅｒａｔｏｒ  ＣＳＧ  Ｌｉｓｔを不揮発性メモリ１０から読み込む。
【００６８】
ステップ２１８において、携帯端末１００は、ＥＰＳ  Ｓｅｃｕｒｉｔｙ  Ｃｏｎｔｅｘｔ  ＰａｒａｍｅｔｅｒｓがＵＳＩＭ非対応であるか否かを判定する。携帯端末１００は、ＥＰＳ  Ｓｅｃｕｒｉｔｙ  Ｃｏｎｔｅｘｔ  ＰａｒａｍｅｔｅｒｓがＵＳＩＭ対応である場合には、ステップ２１９において、ＥＰＳ  Ｓｅｃｕｒｉｔｙ  Ｃｏｎｔｅｘｔ  ＰａｒａｍｅｔｅｒｓをＵＳＩＭ２００から読み込む。携帯端末１００は、ＥＰＳ  Ｓｅｃｕｒｉｔｙ  Ｃｏｎｔｅｘｔ  ＰａｒａｍｅｔｅｒｓがＵＳＩＭ非対応である場合には、ステップ２２０において、ＥＰＳ  Ｓｅｃｕｒｉｔｙ  Ｃｏｎｔｅｘｔ  Ｐａｒａｍｅｔｅｒｓを不揮発性メモリ１０から読み込む。
【００６９】
ステップ２２１において、携帯端末１００は、ＴＩＮを不揮発性メモリ１０から読み込む。読み込まれたＥＭＭパラメータ（“ＧＵＴＩ（Ｇｌｏｂａｌ  Ｕｎｉｑｕｅ  Ｔｅｍｐｏｒａｒｙ  Ｉｄｅｎｔｉｆｉｅｒ）”、“ＥＰＳ  Ｕｐｄａｔｅ  Ｓｔａｔｕｓ”、“ＴＡＩ（Ｔｒａｃｋｉｎｇ  Ａｒｅａ  Ｉｄｅｎｔｉｆｉｅｒ）”、“Ａｌｌｏｗｅｄ  ＣＳＧ（Ｃｌｏｓｅｄ  Ｓｕｂｓｃｒｉｂｅｒ  Ｇｒｏｕｐ  Ｉｄｅｎｔｉｆｉｅｒ）  Ｌｉｓｔ”、“ＯｐｅｒａｔｏｒＣＳＧ  （Ｃｌｏｓｅｄ  Ｓｕｂｓｃｒｉｂｅｒ  Ｇｒｏｕｐ  Ｉｄｅｎｔｉｆｉｅｒ）  Ｌｉｓｔ”、“ＥＰＳ  Ｓｅｃｕｒｉｔｙ  Ｃｏｎｔｅｘｔ  Ｐａｒａｍｅｔｅｒｓ”）は、ＵＳＩＭ２００から読み込まれたＩＣＣＩＤと不揮発性メモリ１０から読み込まれたＩＣＣＩＤとが一致する場合に、使用される。
【００７０】
（作用及び効果）
第１実施形態では、ＵＳＩＭ２００又は不揮発性メモリ１０に格納された移動性管理パラメータが利用可能か否かを判断するための情報として、通信に用いられずにＵＳＩＭ２００を識別する媒体固有情報（ＩＣＣＩＤ）が用いられる。従って、ＩＭＳＩなどのように、通信に用いられる識別情報が不揮発性メモリ１０から不正に読み込まれて、不正な通信が行われることを抑制することができる。
【００７１】
第１実施形態では、端末制御部４０は、媒体固有情報が一致しないと判断された場合に、ＵＳＩＭ２００又は不揮発性メモリ１０に格納された移動性管理パラメータを削除する、或いは、使用しない。従って、無効な移動性管理パラメータの利用を抑制することができる。
【００７２】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７３】
実施形態によれば、端末制御部４０は、媒体固有情報（ＩＣＣＩＤ）が一致しないと判断された場合に、少なくとも不揮発性メモリ１０に格納された移動性管理パラメータを削除すればよい。或いは、端末制御部４０は、媒体固有情報（ＩＣＣＩＤ）が一致しないと判断された場合に、少なくとも不揮発性メモリ１０に格納された移動性管理パラメータを使用しなければよい。
【００７４】
実施形態では、媒体固有情報として、ＩＣＣＩＤを例に挙げたが、実施形態は、これに限定されるものではない。媒体固有情報は、ＵＳＩＭ２００を識別可能な情報であればよい。
【００７５】
実施形態では、移動通信システムとして、LTEを例に挙げて説明したが、実施形態は、これに限定されるものではない。
【符号の説明】
【００７６】
１０…不揮発性メモリ、２０…メモリ制御部、３０…ＵＳＩＭ制御部、４０…端末制御部、５０…ＬＴＥ通信処理部、６０…アンテナ、１００…携帯端末、２００…ＵＳＩＭ
【図１】
2012175566.tif 000003
【図２】
2012175566.tif 000004
【図３】
2012175566.tif 000005